(57)【要約】【課題】記番号の色に基づいて媒体を管理することができ、偽造券が検出された場合でも自動取引装置の稼働率の低下を回避することができるようにする。【解決手段】本発明は、投入された媒体の入金処理又は媒体の出金処理を行う入出金装置において、媒体に付されている記番号の色別に媒体を収納する複数の媒体収納手段と、少なくとも、入金処理で投入された媒体又は出金処理で出金する媒体に付されている記番号の色情報を識別する識別手段と、識別手段により識別された記番号の色情報に基づいて、対応する記番号の色の媒体を収納する媒体収納手段への媒体搬送を制御する搬送制御手段とを備える入出金装置である。【選択図】      図１
2015135560.tif 000002
【特許請求の範囲】
【請求項１】
投入された媒体の入金処理又は媒体の出金処理を行う入出金装置において、
媒体に付されている記番号の色別に媒体を収納する複数の媒体収納手段と、
少なくとも、入金処理で投入された媒体又は出金処理で出金する媒体に付されている記番号の色情報を識別する識別手段と、
上記識別手段により識別された記番号の色情報に基づいて、対応する記番号の色の媒体を収納する上記媒体収納手段への媒体搬送を制御する搬送制御手段と
を備える入出金装置。
【請求項２】
上記識別手段が、媒体の真偽判定を行うものであって、少なくとも偽造券の記番号の色を含む情報を有しており、媒体の記番号の色が上記偽造券の記番号の色と一致するか否かを判定するものであり、
媒体の記番号の色が上記偽造券の記番号の色と一致する場合、上記搬送制御手段が、当該媒体を媒体出金口又はリジェクト媒体収納手段に搬送する
ことを特徴とする請求項１に記載の入出金装置。
【請求項３】
上記複数の媒体収納手段は、金種毎に、記番号の色別で媒体を収納するものであり、
上記識別手段が、さらに偽造券の金種を含む情報を有しており、媒体の金種が上記偽造券の金種と一致するか否かを判定するものであり、
媒体の金種、記番号の色が上記偽造券の金種、記番号の色と一致する場合、上記搬送制御手段が、当該媒体を媒体出金口又はリジェクト媒体収納手段に搬送する
ことを特徴とする請求項２に記載の入出金装置。
【請求項４】
上記識別手段が、投入された媒体の金種及び記番号の色を識別し、所定枚数以上の偽造券を検出すると、媒体の金種及び記番号の色が上記偽造券と一致するか否かを判定し、
媒体の金種、記番号の色が上記偽造券の金種、記番号の色と一致する場合、上記搬送制御手段が、当該媒体を媒体出金口又はリジェクト媒体収納手段に搬送する
ことを特徴とする請求項３に記載の入出金装置。
【請求項５】
媒体を一時的に保持する一時保留手段を備え、
上記搬送制御手段が、上記識別手段により所定枚数未満の偽造券が検出されたとき、媒体の金種が上記偽造券の金種と同じでない、又は、媒体の金種が上記偽造券の金種と同じであるが、媒体の記番号の色情報が上記偽造券の記番号の色と同じ色でないと判定された媒体を上記一時保留手段に退避させた後、上記一時保留手段に保持されている媒体を上記識別手段に搬送し、上記識別手段により識別された媒体の金種及び記番号の色情報に基づいて、対応する上記媒体収納手段への媒体を搬送するものである
ことを特徴とする請求項３又は４に記載の入出金装置。
【請求項６】
上記識別手段は、出金する媒体の金種及び記番号の色が上記偽造券と一致するか否かを識別するものであり、
上記搬送制御手段が、上記識別手段の識別結果に基づき、上記偽造券の記番号の色とは異なる媒体を、上記偽造券の記番号の色とは異なる媒体が収納されている上記媒体収納手段から繰り出して出金搬送するものである
ことを特徴とする請求項３〜５のいずれかに記載の入出金装置。
【請求項７】
媒体を一時的に保持する一時保留手段を備え、
上記搬送制御手段が、上記偽造券と同一金種かつ記番号の色が同一であると判定された媒体を上記一時保留手段に退避させるものである
ことを特徴とする請求項６に記載の入出金装置。
【請求項８】
上記搬送制御手段が、出金後、上記一時保留手段に保持されている媒体を、対応する上記媒体収納手段又はリジェクト媒体を収納するリジェクト媒体収納手段に搬送するものであることを特徴とする請求項７に記載の入出金装置。
【請求項９】
上記搬送制御手段が、上記偽造券と同一金種かつ記番号の色が同一の媒体が収納されている上記媒体収納手段から媒体の出金を行わないようにすることを特徴とする請求項６〜８のいずれかに記載の入出金装置。
【請求項１０】
表示手段と、
上記複数の媒体収納手段のそれぞれに収納させる媒体の金種及び記番号の色情報を設定又は変更するための設定画面を上記表示手段に表示させて、上記設定画面を通じて取得した情報に基づいて、上記各媒体収納手段に収納する媒体の金種及び記番号の色情報を設定する上記収納媒体設定手段
を更に備えることを特徴とする請求項１〜９のいずれかに記載の入出金装置。
【請求項１１】
上記搬送制御手段が、上記各媒体収納手段に設定されていない金種及び記番号の色の媒体が投入されると、その投入された媒体を別の媒体収納手段に搬送するものであることを特徴とする請求項３〜１０のいずれかに記載の入出金装置。
【発明の詳細な説明】
【技術分野】
【０００１】
本発明は、入出金装置に関し、例えば、紙幣の記番号の色を判別する鑑定部を備える入出金装置に適用し得るものである。
【背景技術】
【０００２】
従来、例えば金融機関や空港や駅等に設置されている現金自動取引装置（ＡＴＭ：Automatic  Teller  Machine）等に代表される入出金装置には、紙幣の真偽判定を行う鑑別装置が設けられている。
【０００３】
特許文献１に記載される技術は、紙幣の真偽判定を行うために、鑑別装置が紙幣に表記されている記番号の色を判別して紙幣を確実に識別するものである。
【０００４】
また、偽造券が検出された場合に、偽造券の流通を防止するために、その後の全ての取引処理を停止してしまうと、当該現金自動取引装置の稼働率が低下してしまう。このような課題を解決するために、特許文献２の記載技術は、入金取引において投入された紙幣のうち、偽造券と判定された紙幣の金種についての入金取引を停止し、その他の金種の紙幣については入金取引を継続して行なうというものである。
【先行技術文献】
【特許文献】
【０００５】
【特許文献１】特開２０１０−１１７８０３号公報
【特許文献２】特開２００８−１４０１２２号公報
【発明の概要】
【発明が解決しようとする課題】
【０００６】
偽造券が使用される場合、同じ製法により偽造された偽造券が大量に使用されるようなケースがあり、そのような場合、巧妙な偽造券の市場への拡散防止を行うために、偽造券を分別して管理することが強く望まれている。
【０００７】
しかしながら、特許文献１及び２の記載技術の場合、鑑別装置により記番号の色の判別結果に基づいて偽造券と判別されたものを分別して管理するものではない。また、大量の偽造券が検出された場合、鑑別装置が偽造券に対応するまで、自動取引装置は、偽造券が見つかった金種の取扱いを不可としてしまうことがあるため、そのような場合、当該金種の紙幣を全て取り扱いできないという問題が生じ得る。
【０００８】
そのため、記番号の色に基づいて媒体を管理することができ、偽造券が検出された場合でも自動取引装置の稼働率の低下を回避することができる入出金装置が求められている。
【課題を解決するための手段】
【０００９】
かかる課題を解決するために、本発明は、投入された媒体の入金処理又は媒体の出金処理を行う入出金装置において、（１）媒体に付されている記番号の色別に媒体を収納する複数の媒体収納手段と、（２）少なくとも、入金処理で投入された媒体又は出金処理で出金する媒体に付されている記番号の色情報を識別する識別手段と、（３）識別手段により識別された記番号の色情報に基づいて、対応する記番号の色の媒体を収納する媒体収納手段への媒体搬送を制御する搬送制御手段とを備える入出金装置である。
【発明の効果】
【００１０】
本発明によれば、記番号の色に基づいて媒体を管理することができ、偽造券が検出された場合でも自動取引装置の稼働率の低下を回避することができる。
【図面の簡単な説明】
【００１１】
【図１】実施形態に係る入出金装置の制御系の内部構成を示す内部構成図である。
【図２】実施形態に係る入出金装置の内部構成を示すブロック図である。
【図３】実施形態に係る鑑別部の鑑別処理の一例の動作を示すフローチャートである。
【図４】紙幣の一方の面の構成イメージを示すものである。
【図５】実施形態の入出金装置における入金処理の動作を示すフローチャートである（その１）。
【図６】実施形態の入出金装置における入金処理の動作を示すフローチャートである（その２）。
【図７】実施形態に係る入金処理の場合の紙幣搬送ルートを説明する説明図である。
【図８】実施形態の入出金装置における入金処理の動作を示すフローチャートである（その３）。
【図９】実施形態に係る所定枚数以上の偽造券が検出された場合の入金処理の紙幣搬送ルートを説明する説明図である。
【図１０】実施形態に係る入出金装置における出金処理の動作を示すフローチャートである。
【図１１】実施形態に係る出金処理の場合の紙幣搬送ルートを説明する説明図である。
【図１２】実施形態に係るカセット別の金種記番号色情報対応テーブルを説明する説明図である。
【図１３】実施形態に係るカセット別金種記番号色情報対応テーブルを設定変更する画面例を示す画面図である。
【発明を実施するための形態】
【００１２】
（Ａ）主たる実施形態
以下では、本発明の入出金装置の主たる実施形態を、図面を参照しながら詳細に説明する。
【００１３】
この実施形態は、例えば、金融機関等に設けられている現金自動取引装置（ＡＴＭ）に設けられる入出金装置に本発明を適用する場合を例示する。
【００１４】
（Ａ−１）実施形態の構成
（Ａ−１−１）入出金装置１００の制御系の詳細な構成
図１は、この実施形態に係る入出金装置１００の制御系の内部構成を示す内部構成図である。
【００１５】
図１において、この実施形態に係る入出金装置１００は、主制御部１０１、記憶部１０２、係員操作表示部１０３、顧客操作表示部１０４、カード・レシート制御部１０５、通帳機構部１０６、紙幣入出金機構部１０７、硬貨入出金機構部１０８、鑑別部１０９を有する。
【００１６】
主制御部１０１は、入出金装置１００の機能を司るものである。主制御部１０１は、例えば演算処理装置であり、記憶部１０２に記憶される処理プログラムを実行することにより、入出金装置１００の各種機能を実現するものである。また、処理プログラムがインストールされることにより入出金装置１００の機能が構築されるようにしても良く、その場合でも、機能的には図１に示すことができる。
【００１７】
主制御部１０１の主な機能として、取引処理部１１０、搬送制御部１２０、収納媒体設定部１３０を有する。
【００１８】
取引処理部１１０は、顧客操作により選択された取引種類の案内画面を表示させながら、顧客により入力された入力情報に基づいて選択された種類の取引処理を行うものである。取引処理部１１０は、入金取引や出金取引等の各種取引処理を行う。ここで、入金取引は、顧客から投入された現金に基づいて入金取引を行う処理であり、例えば、預け入れ取引や振込取引等の処理がある。出金処理は、顧客に対して現金を支払う出金取引であり、例えば、引き出し取引等の処理がある。
【００１９】
搬送制御部１２０は、鑑別部１０９による紙幣状態の鑑別結果に基づいて、入出金装置１００内に入金された又は出金すべき貨幣（紙幣、硬貨）の搬送経路を制御するものである。搬送制御部１２０は、図１に示すように、鑑別結果取得部１２１、記番号色情報取得部１２２、搬送処理部１２３を有する。
【００２０】
鑑別結果取得部１２１は、入金取引や出金取引の際に、鑑別部１０９による鑑別結果を取得し、その鑑別結果を搬送処理部１２３に与えるものである。
【００２１】
記番号色情報取得部１２２は、入金取引や出金取引の際に、鑑別部１０９により識別された紙幣に付されている記番号の色情報を取得し、その記番号の色情報を搬送処理部１２３に与えるものである。
【００２２】
搬送処理部１２３は、鑑別部１０９の鑑別結果や記番号色情報に基づいて、紙幣入出金機構部１０７や硬貨入出金機構部１０８に対して駆動指示を与えて貨幣の搬送処理を行うものである。
【００２３】
搬送処理部１２３による搬送処理に関する詳細な説明は、動作の項で詳細に説明するが、例えば、搬送処理部１２３は、以下のような搬送処理を行う。
【００２４】
例えば、入金取引の際、搬送処理部１２３は、紙幣入出金口２０１（図２参照）に投入された紙幣を１枚ずつ鑑別部１０９に搬送する。そして、鑑別部１０９の鑑別結果がリジェクト判定の場合、投入された紙幣を顧客に戻すために、搬送処理部１２３は、投入された紙幣を紙幣入出金口２０１（図２参照）に搬送する。また、鑑別結果が正常判定の場合（すなわちリジェクト判定でない場合）、搬送処理部１２３は、投入された紙幣を一時保留部２０３（図２参照）に搬送する。そして、入金取引が終了した後、紙幣の金種や記番号の色情報に基づいて、対応する紙幣収納カセット２０４（以下、カセット２０４ともいう。図２参照）に収納するために、搬送処理部１２３は、一時保留部２０３に保持されている紙幣を１枚ずつ鑑別部１０９に搬送し、鑑別部１０９による鑑別結果（紙幣の金種及び記番号の色情報）に基づいて、対応するカセット２０４に搬送する。つまり、後述するように、カセット２０４は、金種毎に、記番号の色別に収納する紙幣が区別されている。搬送処理部１２３は、鑑別部１０９により識別された紙幣の金種及び記番号色情報に基づいて、金種毎の記番号の色で区別された対応するカセット２０４に紙幣を収納するように搬送する。
【００２５】
また例えば、出金取引の際、搬送処理部１２３は、指定された金種のカセット２０４から紙幣を１枚ずつ繰り出して、紙幣を鑑別部１０９に搬送する。そして、鑑別結果がリジェクト判定の場合、搬送処理部１２３は、紙幣を一時保留部２０３に搬送する。また鑑別結果が正常判定の場合、紙幣を出金するために、搬送処理部１２３は紙幣を紙幣入出金口２０１に搬送する。出金取引が終了すると、一時保留部２０３に保持されている紙幣を移動させるために、搬送処理部１２３は、金種及び記番号の色別のカセット２０４またはリジェクト庫２０６（図２参照）に搬送する。
【００２６】
収納媒体設定部１３０は、カセット２０４のそれぞれに収納する紙幣の金種及び記番号の色情報を設定又は変更するものである。収納媒体設定部１３０は、例えば、設定画面を係員操作表示部１０３に表示し、その設定画面を通じて、それぞれのカセット２０４に収納する紙幣の金種及び記番号の色情報の入力を受け付けることで、各カセット２０４の収納紙幣の金種及び記番号の色情報を設定又は変更する方法を取ることができる。
【００２７】
例えば、記憶部１０２に図１２に例示するようなカセット別の金種記番号色情報対応テーブルを記憶させておく。カセット別の金種記番号色情報対応テーブルは、カセット毎の収納する紙幣の金種と、記番号色情報とを対応付けて管理するものである。また、カセットに収納する紙幣の金種及び記番号の色を変更する場合、例えば図１３に例示する保守画面を通じて各カセットに収納する紙幣の金種、記番号の色を設定、変更することができる。つまり、図１３に例示する画面では、例えば「変更するカセット、金種、記番号の色を選択してください」等のガイダンス表示部５０１を表示させ、例えばプルボタン等でなる、カセット選択部５０２、金種選択部５０３、記番号の色選択部５０４で、カセットに収納する紙幣の金種、記番号の色を設定することで、図１２に例示する金種記番号情報対応テーブルの内容を変更することができる。
【００２８】
記憶部１０２は、主制御部１０１により実行される処理プログラムや、情報処理に必要な各種情報や、係員操作表示部１０３や顧客操作表示部１０４に表示させる画面（静止画、動画像を含むものとしても良い。）、カセット別の金種記番号色情報テーブル（図１２参照）等を記憶するものである。記憶部１０２は、主制御部１０１により２次記憶手段として利用されるものであり、例えば、フラッシュメモリやハードディスク（ＨＤＤ）や記憶媒体（例えばＣＤ−Ｒ等）等の不揮発性の記憶装置を適用することができる。
【００２９】
係員操作表示部１０３は、主制御部１０１の制御の下、保守者や金融機関の係員等が操作入力したり、メニュー画面や各種操作画面や入力された情報を表示したりするものである。なお、係員操作表示部１０３は、例えば表示部と入力部とが一体となったタッチパネル形式のものを適用する場合を例示するが、表示部と入力部とがそれぞれ物理的に異なるものであっても良い。
【００３０】
顧客操作表示部１０４は、主制御部１０１の制御の下、取引を行う顧客が操作入力したり、メニュー画面や各種操作画面や入力された情報を表示したりするものである。なお、顧客操作表示部１０４は、例えば表示部と入力部とが一体となったタッチパネル形式のものを適用する場合を例示するが、表示部と入力部とがそれぞれ物理的に異なるものであっても良い。
【００３１】
係員操作表示部１０３の設置位置は特に限定されないが、例えば、入出金装置１００の正面側に顧客操作表示部１０４が設けられているとすると、入出金装置１００の背面側に係員操作表示部１０３が設けられるようにしても良い。また、係員操作表示部１０３及び顧客操作表示部１０４は区別せず同一の操作表示部としても良く、係員の特定の操作入力（例えば、係員のパスワード入力等）により顧客操作と係員操作とを区別できるものであっても良い。
【００３２】
カード・レシート制御部１０５は、主制御部１０１の制御の下、取引に用いられるカード（例えばキャッシュカードやクレジットカード等）の挿入や排出の駆動制御をしたり、カードに格納されているカード情報を読み取り主制御部１０１に与えたりするものである。また、カード・レシート制御部１０５は、取引終了後に、取引内容を媒体（例えば紙媒体）に印字したり、そのレシート（明細票）の排出の駆動制御をしたりするものである。
【００３３】
通帳機構部１０６は、主制御部１０１の制御の下、取引に用いられる通帳の挿入や排出の駆動制御をしたり、読み出した通帳情報を主制御部１０１に与えたり、取引内容を通帳記入したりするものである。
【００３４】
紙幣入出金機構部１０７は、主制御部１０１の制御の下、投入された紙幣を搬送駆動したり、出金のためにカセット２０４（図２参照）から紙幣を繰り出して搬送駆動したりするものである。
【００３５】
硬貨入出金機構部１０８は、主制御部１０１の制御の下、投入された硬貨を搬送駆動したり、出金のために硬貨収納庫（図示しない）から硬貨を繰り出したりするものである。
【００３６】
鑑別部１０９は、搬送されてきた紙幣の鑑別を行い、その鑑別結果を主制御部１０１に与えるものである。また、鑑別部１０９は、紙幣に付されている記番号の色情報を識別する記番号色識別部１０９ａを有する。
【００３７】
記番号色識別部１０９ａによる記番号の色情報の識別方法は、種々の方法を広く適用することができる。例えば、イメージスキャナ等の撮像部が撮像した、紙幣の記番号部分を含むカラー画像から、記番号領域の画像情報に基づいて記番号の色相や彩度等から記番号の色を識別する方法などを適用することができる。
【００３８】
（Ａ−１−２）入出金装置１００の内部構成
図２は、この実施形態に係る入出金装置１００の内部構成を示すブロック図である。図２は、紙幣の搬送に関する構成を示している。
【００３９】
図２において、実施形態に係る入出金装置１００は、紙幣入出金口２０１、鑑別部１０９、一時保留部２０３、複数個（図２では４個）のカセット２０４（２０４−１〜２０４−４）、取忘れ回収庫２０５、リジェクト庫２０６、搬送路２０２を有する。
【００４０】
鑑別部１０９は、上述したように、搬送されてきた紙幣の状態を鑑別するものである。なお、鑑別部１０９は、双方向に進行する紙幣に対応するものや一方向に進行する紙幣に対応するものとしても良い。
【００４１】
具体的には、鑑別部１０９は、紙幣の真偽判定（真券、偽造券等の判定）、正損判定（汚損券、破損券、損壊券、外形異常券、折れ券等、又は正券の判定）、金種判定、計数処理、記番号識別処理、記番号の色識別処理等を行う。
【００４２】
鑑別部１０９は、正常判定とリジェクト判定とを行う。リジェクト判定は、紙幣が、例えば、偽造券、汚損券、破損券、損壊券、外形異常券、折れ券、搬送方向に対して傾いた状態の紙幣の検出（以下、スキューと呼ぶ。）等の判定である。正常判定は、例えば、真券、紙幣状態が上記汚損券等でない状態、スキューでない状態等の判定である。
【００４３】
鑑別部１０９は、リジェクト判定を行うための検査項目が予め設定されており、この検査項目と状態センサ群（例えば、光学センサ、厚みセンサ、磁気センサなど）からのセンシングデータとに基づいて、紙幣の金種や紙幣状態を判定するものである。
【００４４】
また、鑑別部１０９は、偽造券を特定する偽造券金種記番号色情報（例えば、偽造券である媒体の金種、記番号、記番号の色情報等を含む情報）を有しており、多数の偽造券検出がなされたときに、媒体の金種及び記番号の色が、偽造券金種記番号色情報と一致するか否かを判定する。
【００４５】
なお、偽造券を特定する偽造券金種記番号色情報は、鑑別部１０９が有する記憶部に記憶されるものであっても良いし、又記憶部１０２に記憶されており必要に応じて読み出したものであっても良いし、又ネットワークを通じて管理装置（例えば金融機関等の管理サーバ等）から取得したものとしても良い。
【００４６】
紙幣状態の認識方法は、従来のＡＴＭ等の鑑別装置で利用されている技術を利用することができる。例えば、鑑別部１０９は、イメージセンサ等の撮像部により撮像された紙幣の画像に基づいて、汚損や落書きや破損等の有無を判定したり、汚損や落書きや破損等の位置を特定したりする方法を適用することができる。
【００４７】
具体的には、例えば紙幣に汚れがあった場合、紙幣全体の範囲又は紙幣の特定箇所の範囲において汚損が占める割合や汚損の程度（例えば明度等）を鑑別部１０９は評価する。つまり、鑑別部１０９は、検査項目に設定されている判別レベル値（例えば、汚損レベル値等の閾値）とセンシングデータに基づく評価レベル値とを比較して汚損券又は正券を判別する。また例えば、鑑別部１０９は、イメージセンサにより撮像された紙幣の画像に基づいて、搬送される紙幣の傾き（すなわち、撮像画面上で搬送方向に垂直な線に対する紙幣端部の傾き）が検査項目で設定されている判別レベル値を超えて傾いているときには、紙幣がスキューしていると判定する。また、鑑別部１０９は、厚みセンサにより検知した紙幣の厚さに関するセンシングデータが判別レベル値を超えているときには複数枚の紙幣が重なって搬送されていると判定する。また、鑑別部１０９は、イメージセンサにより撮像された紙幣の画像に基づいて、紙幣のサイズが判別レベル値を超えているときには複数枚の紙幣が重なって搬送されていると判定したりする。
【００４８】
なお、鑑別部１０９が利用する検査項目は、鑑別部１０９が有する記憶部に記憶されるものであっても良いし、又記憶部１０２に記憶されており必要に応じて読み出したものであっても良いし、又ネットワークを通じて管理装置（例えば金融機関等の管理サーバ等）から取得したものとしても良い。
【００４９】
紙幣の真偽判定の方法は、例えば、真券と判断するための検査項目や偽造券と判断するための検査項目に基づいて、鑑別部１０９が通過する紙幣の真偽を判定する方法を用いることができる。
【００５０】
偽造券と判断する方法の具体的な例は、紙幣の特徴部分の照合、紙幣の金種別サイズ、紙幣の色目、紙幣に付されている記番号照合など様々な方法を広く適用することができる。例えば、偽造券を特定する記番号の一覧情報を鑑別部１０９が保持しており、鑑別部１０９がＯＣＲ（Optical  Character  Recognition）等の文字読取部により読み取った紙幣の記番号が偽造券を特定する記番号の一覧情報に含まれているものである場合には、当該紙幣を偽造券と判断する方法を用いることができる。また例えば、連続して投入された紙幣の記番号が同じ番号である場合に、当該紙幣を偽造券と判断する方法を用いることができる。さらに、例えば、鑑別部１０９が、偽造券を特定するための記番号の色情報（以下、偽造券記番号色情報ともいう。）を保持しており、記番号色識別部１０９ａにより識別された記番号の色情報が、偽造券記番号色情報と同等の色である場合には、当該紙幣を偽造券と判断するようにしても良い。
【００５１】
なお、偽造券を特定する記番号の一覧情報及び偽造券を特定する偽造券記番号色情報は、鑑別部１０９が有する記憶部に記憶されるものであっても良いし、又記憶部１０２に記憶されており必要に応じて読み出したものであっても良いし、又ネットワークを通じて管理装置（例えば金融機関等の管理サーバ等）から取得したものとしても良い。
【００５２】
紙幣入出金口２０１は、投入された紙幣を受け入れたり、又は出金に係る紙幣を送り出したりするものである。紙幣入出金口２０１は、紙幣入金口（媒体入金口ともいう。）及び紙幣出金口（媒体出金口ともよい。）となる部分である。紙幣入出金口２０１は、紙幣入金口と紙幣出金口とが物理的に異なるものであっても良いが、この実施形態では、紙幣入金口２０１が紙幣入金口及び紙幣出金口として機能する部分である場合を例示している。紙幣入出金口２０１は、例えば、紙幣を収納する収納部（バケット）と開閉可能な開閉体とを有するいわゆるバケットタイプのものを用いることができる。この実施形態では、紙幣入出金口２０１がバケットタイプである場合を例示する。例えば、紙幣入出金口２０１は、紙幣入金の際、開閉体を開き、顧客により投入される紙幣を受け入れ、その後開閉体を閉じる。そして、紙幣入出金口２０１は、投入された紙幣を入出金装置１００内の搬送路に送り出す。また、紙幣を出金する際、紙幣入出金口２０１は、入出金装置１００の搬送路からの紙幣が紙幣入出金口２０１のバケットに送られた後、紙幣入出金口２０１は開閉体を開放する。
【００５３】
一時保留部２０３は、紙幣を一時的に保管するものである。一時保留部２０３は、上述したように、入金取引の際又は出金取引の際、紙幣を一時的に保管する。
【００５４】
カセット２０４−１〜２０４−４はそれぞれ、紙幣を収納する紙幣収納カセット部である。カセット２０４−１〜２０４−４は、金種別及び記番号の色別の紙幣を収納するものである。
【００５５】
例えば、図２では、カセット２０４−１は「Ａカセット２０４−１」とし、カセット２０４−２は「Ｂカセット２０４−２」とし、カセット２０４−３は「Ｃカセット２０４−３」とし、カセット２０４−４は「Ｄカセット２０４−４」としている。
【００５６】
Ａカセット２０４−１及びＢカセット２０４−２は、日本円の１万円券（図２では「万券」と表記している）を収納するものとする。また、Ａカセット２０４−１は、記番号の色が「黒色」の紙幣を収納するものとし、Ｂカセット２０４−１は、記番号の色が「黒色以外」の紙幣を収納するものとする。
【００５７】
また、Ｃカセット２０４−３及びＤカセット２０４−４は、日本円の千円券（図２では「千券」と表記している）を収納するものとする。Ｃカセット２０４−３は、記番号の色が「黒色」の紙幣を収納するものとし、Ｄカセット２０４−４は、記番号の色が「黒色以外」の紙幣を収納するものとする。
【００５８】
このように、カセット２０４−１〜２０４−４は、金種毎に、記番号の色別の紙幣を収納するようにする。カセット２０４−１〜２０４−４に収納される紙幣の金種及び記番号の色情報は、予め設定されていても良いし、又は運用に応じて変更することも可能である。カセット２０４−１〜２０４−４に収納される紙幣の金種及び記番号の色情報の設定、変更は、図１の収納媒体設定部１３０による設定により可能である。
【００５９】
なお、カセット２０４−１〜２０４−４は、紙幣の充填又は回収のために、入出金装置１００から着脱可能なものであっても良いし、又は着脱不可能なものであっても良い。カセット２０４−１〜２０４−４は、例えば、入金専用、出金専用、還流型リサイクル機能を有する紙幣収納カセットのいずれであっても良い。この実施形態では、カセット２０４−１〜２０４−４が還流型リサイクル機能を有するものである場合を例示する。また、カセット２０４−１〜２０４−４に収納される通貨は、例えば、日本円、米国ドル、ユーロ、中国元、インドルピー、ブラジルレアルなどの紙幣にも対応可能である。
【００６０】
また、カセット２０４−１〜２０４−４は、記番号の色が「黒色」の紙幣を収納するものと記番号の色が「黒色以外」の紙幣を収納するものとに分けている。ここで仮に、市場に出回っている紙幣の記番号の色が「黒」「褐色」「青」の３種類であれば、記番号の色が「黒色以外」の紙幣を収納するとは記番号の色が「褐色」と「青」の紙幣を収納するということである。記番号の色が４種類以上になっても同様である。
【００６１】
取忘れ回収庫２０５は、顧客が取り忘れた紙幣を格納するものである。
【００６２】
リジェクト庫２０６は、入金取引や出金取引の際、鑑別部１０９によりリジェクト判定された紙幣を格納するものである。また、リジェクト庫２０６は、カセット２０４−１〜２０４−４で還流リサイクルされない金種の紙幣（例えば、日本円５千円券や２千円券、旧紙幣など）も格納する。
【００６３】
搬送路２０２は、紙幣入出金口２０１、鑑別部１０９、一時保留部２０３、複数個（図２では４個）のカセット２０４（２０４−１〜２０４−４）、取忘れ回収庫２０５、リジェクト庫２０６の間で紙幣を相互に搬送する搬送経路である。
【００６４】
（Ａ−２）実施形態の動作
次に、この実施形態に係る入出金装置１００における処理の動作を、図面を参照しながら詳細に説明する。
【００６５】
（Ａ−２−１）鑑別部１０９の鑑別処理
図３は、実施形態に係る鑑別部１０９の鑑別処理の一例の動作を示すフローチャートである。
【００６６】
まず、紙幣が鑑別部１０９に搬送されると、鑑別部１０９は、光学センサ、厚みセンサ、磁気センサ等により、紙幣のサイズや特徴部分を検出して紙幣の金種を判別する（Ｓ１０１）。
【００６７】
鑑別部１０９は、イメージセンサにより紙幣の画像（カラー画像）を撮像し、その画像情報に基づいて、汚損や落書きや破損などの有無を判定する（Ｓ１０２）。このとき、鑑別部１０９は、紙幣の正損評価を判定するための検査項目の評価レベル値を測定し、予め設定された検査項目の判別レベル値と評価レベル値とを比較して、紙幣の正損判別を行う。
【００６８】
また、鑑別部１０９は、紙幣の画像情報に基づいて、紙幣に付されている記番号部分の画像領域（記番号領域）から、ＯＣＲ等により記番号を読み取ると共に、記番号色識別部１０９ａが記番号の色を識別する（Ｓ１０３）。
【００６９】
図４は、紙幣４０の一方の面の構成イメージを示すものである。図４の例において、紙幣４０の左上部及び右下部に記番号４１及び４２が付されている。鑑別部１０９は、記番号４１及び４２が付されている左上部及び右下部を記番号領域とし、これら記番号領域から記番号４１及び４２を読み取る。記番号色識別部１０９ａは、鑑別部１０９が読み取った記番号４１及び４２の色を識別する。例えば、日本国で発行されている１万円券（万券）及び千円券（千券）の記番号の色は、黒色と褐色の２種類ある。
【００７０】
そこで、この実施形態では、記番号の色が黒色の紙幣と、記番号の色が黒色以外（例えば褐色等）の紙幣とを区別してカセット２０４に収納している。これにより、例えば、黒色の記番号の紙幣について偽造券が発見されたときに、黒色の記番号の紙幣が収納されているカセット２０４からの出金を停止し、黒色以外の紙幣を収納するカセット２０４から紙幣を出金することにより、偽造券が検出された場合でも、入出金装置１００の取引を続行することができる。つまり、記番号の色毎に紙幣をカセット２０４に収納することにより、偽造券が検出された場合でも、入出金装置１００の取扱いを中止することなく続行することができる。
【００７１】
鑑別部１０９は、偽造券を判定するため、紙幣の特徴的部分を検査や、読み取った記番号と、偽造券を特定する記番号情報との照合や、紙幣の画像情報から紙幣の色目等に基づいて紙幣の真偽判別を行う（Ｓ１０４）。
【００７２】
このようにして鑑別部１０９が鑑別した結果は、主制御部１０１に与えられる。
【００７３】
（Ａ−２−２）入金処理
図５、図６及び図８は、この実施形態の入出金装置１００における入金処理の動作を示すフローチャートである。
【００７４】
図７は、入金処理の場合の紙幣搬送ルートを説明する説明図である。図９は、所定枚数以上の偽造券が検出された場合の入金処理の紙幣搬送ルートを説明する説明図である。
【００７５】
まず、顧客操作により紙幣が投入（挿入）されると（Ｓ２０１）、投入された紙幣の状態を鑑別するために、紙幣入出金口２０１から紙幣が鑑別部１０９に搬送される（Ｓ２０２）。
【００７６】
鑑別部１０９では、搬送された紙幣が鑑別される（Ｓ２０３）。この鑑別部１０９による鑑別処理は、例えば図３に例示した処理が実行され、鑑別部１０９により紙幣の金種、正損、記番号の色情報、媒体の真偽等が判別される。この鑑別部１０９の鑑別結果は主制御部１０１に通知され、搬送処理部１２３が、鑑別結果に基づいて紙幣の搬送経路を制御する。
【００７７】
主制御部１０１において、搬送処理部１２３は鑑別部１０９による鑑別結果に基づいて所定枚数以上の偽造券が検出されたか否かを判定する（Ｓ３０１）。
【００７８】
ここで、偽造券が使用される場合、大量の偽造券が使用されることがある。従って、偽造券の検出枚数が所定枚数以上の場合には、処理を図８のＳ３０２に処理を移行する。なお、上記所定枚数は、運用に応じて設定することができ、例えば、１０枚、５０枚、１００枚等のように設定することができる。
【００７９】
偽造券の検出枚数が所定枚数未満であって、鑑別部１０９によりリジェクト判定がなされると（Ｓ２０４）、投入された紙幣を顧客に戻すために、紙幣は紙幣入出金口２０１に搬送される（Ｓ２０５）。なお、紙幣は、紙幣入出金口２０１に搬送されずにリジェクト庫２０６に搬送されるようにしても良い。
【００８０】
その後、紙幣入出金口２０１に排出された紙幣の受け取りが確認され（Ｓ２０６）、顧客により紙幣が再投入されると（Ｓ２０７）、Ｓ２０１に戻って処理が繰り返し行われ、再投入されない場合（Ｓ２０７）、処理は終了する。
【００８１】
Ｓ２０４において、鑑別部１０９によりリジェクト判定されない場合、投入された紙幣は一時保留部２０３に搬送される（Ｓ２０８）。このとき、複数枚の紙幣が投入された場合、紙幣が１枚ずつ鑑別部１０９に搬送されて鑑別処理がなされて、紙幣が１枚ずつ一時保留部２０３に保持される（Ｓ２０１〜Ｓ２０８）。
【００８２】
入金取引が終了すると、紙幣の金種及び記番号の色情報に基づいて紙幣をカセット２０４に振り分けるために、一時保留部２０３に保留された紙幣は１枚ずつ鑑別部１０９に搬送され、鑑別部１０９による鑑別処理がなされる（Ｓ２１０、図７の６０１参照）。
【００８３】
このとき、鑑別部１０９による鑑別処理は、例えば図３に例示する鑑別処理がなされ、鑑別結果が主制御部１０１に通知される。主制御部１０１において、搬送処理部１２３は、鑑別結果に基づき紙幣の金種が万券であるか否かを判定する（Ｓ２１１）。
【００８４】
紙幣の金種が万券である場合、紙幣の記番号の色に応じて紙幣をカセット２０４に振り分けるために、搬送処理部１２３は、鑑別結果に基づいて、紙幣の記番号の色情報が黒色であるか否かを判定する（Ｓ２１２）。そして、記番号の色情報が黒色である場合、搬送処理部１２３は、万券であって記番号の色が黒色の紙幣を収納するＡカセット２０４−１に当該紙幣を搬送して（Ｓ２１３、図７の６０２参照）、処理を終了する。又、記番号の色情報が黒色でない場合、搬送処理部１２３は、万券であって記番号の色が黒色以外の紙幣を収納するＢカセット２０４−２に当該紙幣を搬送して（Ｓ２１４、図７の６０３参照）、処理を終了する。このようにすることで、同一金種の紙幣を記番号の色の違いに応じて異なるカセット２０４に収納することができる。
【００８５】
一方、紙幣の金種が万券でない場合、搬送処理部１２３は、鑑別結果に基づき紙幣の金種が千券であるか否かを判定する（Ｓ２１５）。
【００８６】
紙幣の金種が千券である場合、搬送処理部１２３は、鑑別結果に基づいて、紙幣の記番号の色情報が黒色であるか否かを判定する（Ｓ２１６）。そして、紙幣の記番号の色情報が黒色である場合、搬送処理部１２３は、千券であって記番号の色が黒色の紙幣を収納するＣカセット２０４−３に当該紙幣を搬送して（Ｓ２１７、図７の６０４参照）、処理を終了する。又、記番号の色情報が黒色でない場合、搬送処理部１２３は、千券であって記番号の色が黒色以外の紙幣を収納するＤカセット２０４−４に当該紙幣を搬送して（Ｓ２１８、図７の６０５参照）、処理を終了する。
【００８７】
紙幣の金種が千券でない場合（すなわち、紙幣の金種が万券、千券のいずれでもない場合）、この入出金装置１００においては還流させない紙幣（例えば、５千円券、２千円券、旧紙幣など）であるため、搬送処理部１２３は、リジェクト庫２０６に当該紙幣を搬送する（Ｓ２１９、図７の６０６）。なお、投入された紙幣が複数枚の場合には、一時保留部２０３に保持されている全ての紙幣について１枚ずつ、Ｓ２０９〜Ｓ２１９の処理が実行される。
【００８８】
図５のＳ３０１において、鑑別部１０９によるリジェクト判定の結果、偽造券の検出枚数が所定枚数以上となった場合、処理は図８のＳ３０２に移行する。
【００８９】
主制御部１０１において、搬送処理部１２３が、鑑別結果に基づいて媒体の金種が偽造券の金種と同じ金種か否か判定する（Ｓ３０２）。
【００９０】
偽造券の金種と同じ金種の場合、搬送処理部１２３は、鑑別結果に基づいて、媒体の記番号の色情報が偽造券の記番号の色と同じ色であるか否かを判定する（Ｓ３０３）。
【００９１】
そして、媒体の記番号の色情報が偽造券の記番号の色と同じ色の場合、投入された媒体を顧客に戻すために、当該媒体は紙幣入出金口２０１に搬送される（Ｓ３０４、図９の７０２参照）。なお、紙幣は、紙幣入出金口２０１に搬送されずにリジェクト庫２０６に搬送されるようにしても良い。
【００９２】
その後、紙幣入出金口２０１に排出された紙幣の受け取りが確認され（Ｓ３０５）、顧客により媒体が再投入されると（Ｓ３０６）、Ｓ２０１に戻って処理が繰り返し行われ、再投入されない場合（Ｓ３０６）、処理は終了する。
【００９３】
一方、Ｓ３０２において、媒体の金種が偽造券の金種と同じでない場合、又は、媒体の金種が偽造券の金種と同じであるが、媒体の記番号の色情報が偽造券の記番号の色と同じ色でない場合、当該媒体は、一時保留部２０３に搬送される（Ｓ３０７、図９の７０１参照）。
【００９４】
一時保留部２０３に保留されている媒体は鑑別部１０９に搬送されて、Ｓ２０９〜Ｓ２１９の処理と同様の処理がなされる（Ｓ３０８）。すなわち、金種毎の、記番号の色別のカセット２０４に紙幣が収納される。
【００９５】
（Ａ−２−２）出金処理
図１０は、この実施形態に係る入出金装置１００における出金処理の動作を示すフローチャートである。図１１は、出金処理の場合の紙幣搬送ルートを説明する説明図である。
【００９６】
ここで、金融機関等には偽造券が使用された情報が認識されており、その偽造券を特定する情報が鑑別部１０９又は記憶部１０２に反映されて設定されている。特に、どの金種のどの色の記番号の偽造券が多く使用されているかに関する情報（つまり、使用頻度が多発している偽造券の金種、記番号の色の情報など）も金融機関等に認識されており、鑑別部１０９又は記憶部１０２に反映されている。
【００９７】
上述したように、入金処理の際に、金種毎に、記番号の色に応じたカセット２０４に媒体を収納することはできる。
【００９８】
しかし、カセット２０４に、別の金種、別の記番号の色の媒体が誤って混在してしまうことも想定でき、そのような媒体が出金されてしまうおそれもある。具体的には、カセット２０４に紙幣を装填する時に、当該カセットの金種及び記番号の色とは別の金種、別の記番号の色の媒体が誤って混在してしまう場合等が考えられる。
【００９９】
そこで、この実施形態では、出金処理の際にも、偽造券と同じ金種であって、偽造券の記番号の色と同じ媒体であるか否かを判断して、偽造券と同じ金種であって、記番号が同じ媒体の出金を防止するようにする。
【０１００】
入金処理の際に記番号の色毎のカセット２０４に分けて紙幣を収納しているため、該当金種の出金動作では、記番号の色が偽造券と異なる色の紙幣を収納しているカセット２０４から搬送するようにする。
【０１０１】
まず、顧客操作により出金取引が選択され、出金金額が入力されると、主制御部１０１は、出金すべき金種のカセット２０４−１〜２０４−４から、１枚ずつ紙幣を繰り出して鑑別部１０９に搬送する（Ｓ４０１、図１１の８０１〜８０４参照）。
【０１０２】
鑑別部１０９は、搬送された紙幣が鑑別する（Ｓ４０２）。なお、鑑別部１０９における鑑別処理は、例えば図３に例示した処理が実行され、紙幣の金種、正損、記番号の色情報、媒体の真偽等が判別される。
【０１０３】
鑑別結果に基づいて、鑑別された紙幣の金種が出金すべき金種であるか否かを判定する（Ｓ４０３）。そして、当該紙幣が出金すべき金種でない、又は鑑別結果がリジェクト判定の場合、紙幣は一時保留部２０３に搬送される（Ｓ４０４、図１１の８０５参照）。
【０１０４】
主制御部１０１の搬送処理部１２３は、鑑別結果に基づいて金種が偽造券の金種と同じか否かを判定する（Ｓ４１０）。そして、金種が偽造券の金種と同じでない場合、搬送処理部１２３は紙幣を紙幣入出金口２０１に搬送する（Ｓ４０６、図１１の８０６参照）。
【０１０５】
一方、金種が偽造券の金種と同じである場合、主制御部１０１の搬送処理部１２３は紙幣の記番号の色が偽造券の記番号の色と同じであるか否かを判定する（Ｓ４０５）。
【０１０６】
そして、記番号の色が偽造券の記番号の色と同じである場合、搬送処理部１２３は紙幣を一時保留部２０３に搬送する（Ｓ４０４、図１１の８０５参照）。
【０１０７】
また、記番号の色が偽造券の記番号の色と同じでない場合、搬送処理部１２３は媒体を紙幣入出金口２０１に搬送する（Ｓ４０６、図１１の８０６参照）。つまり、偽造券の記番号の色と異なる紙幣を出金することができる。
【０１０８】
そして、紙幣入出金口２０１に出金された紙幣の受け取りが確認され（Ｓ４０７）、出金取引が終了すると、搬送処理部１２３は、一時保留部２０３に紙幣が保持されているか否かを判断し（Ｓ４０８）、一時保留部２０３に紙幣がある場合、搬送処理部１２３は、一時保留部２０３に保持されている紙幣をカセット２０４又はリジェクト庫２０６に搬送して（Ｓ４０９）、出金処理を終了する。
【０１０９】
そして、偽造券と同一金種かつ記番号の色が同一の紙幣が収納されているカセット２０４からの出金が行われないように、当該カセットからの出金を停止する処理を行う。以後、当該カセットから出金を行わない。
【０１１０】
（Ａ−３）実施形態の効果
以上のように、この実施形態によれば、例えば、万券で記番号の色が黒色の偽造券が大量に発生した場合には、万券で記番号の色が黒色の紙幣は取扱不可になるが、万券で記番号の色が黒色以外（褐色）の紙幣は入金取引・出金取引共に取り扱うことができる。
【０１１１】
また、この実施形態によれば、金種毎に、記番号の色毎のカセットに紙幣を分別して管理しているため、例えば、万券で記番号の色が黒色の偽造券が大量に発生した場合には、出金動作では、万券で記番号の色が黒色以外（褐色）のカセットから搬送することができ、さらに、万券で記番号の色が黒色の全紙幣を回収することも容易にできる。
【０１１２】
（Ｂ）他の実施形態
上述した実施形態においても本発明の種々の変形実施形態を言及したが、本発明は、以下の実施形態にも適用することができる。
【０１１３】
上述した実施形態では、自動取引装置（ＡＴＭ）に設けられる入出金装置に本発明を適用する場合を例示した。しかし、複数のカセットを備え、投入された媒体を搬入したり、又はカセットから媒体を排出したりすることができる装置に本発明は広く適用することができる。
【０１１４】
上述した実施形態では、媒体が紙幣の場合を例示した。しかし、媒体は、固有の記番号が付されているものであれば、紙幣に限定されるものではない。
【０１１５】
上述した実施形態では、紙幣に付されている記番号が２色（黒色、褐色）の場合を想定して、２種類の記番号の色の媒体を収納するカセットを備え、記番号の色毎に分別する場合を例示した。しかし、紙幣の記番号の色は３色以上であっても良い。これに伴い、３色以上の記番号の色の媒体を収納することができるカセットを設けて記番号の色毎に分別するようにしても良い。
【０１１６】
上述した実施形態では、鑑別部が紙幣の金種が偽造券の金種と一致するか否かを判定後、紙幣の記番号の色が偽造券のものと一致するか否かを判定する場合を例示した。しかし、記番号の色を判定した後、金種を判定するようにしても良い。
【符号の説明】
【０１１７】
１００…自動取引装置、１０１…主制御部、１１０…取引処理部、１２０…搬送制御部、１２１…鑑別結果取得部、１２２…記番号色情報取得部、１２３…搬送処理部、１３０…収納媒体設定部、１０２…記憶部、１０３…係員操作表示部、１０４…顧客操作表示部、１０７…紙幣入出金機構部、１０８…硬貨入出金機構部、１０９…鑑別部、１０９ａ…記番号色識別部。
【図１】
2015135560.tif 000003
【図２】
2015135560.tif 000004
【図３】
2015135560.tif 000005
【図４】
2015135560.tif 000006
【図５】
2015135560.tif 000007
【図６】
2015135560.tif 000008
【図７】
2015135560.tif 000009
【図８】
2015135560.tif 000010
【図９】
2015135560.tif 000011
【図１０】
2015135560.tif 000012
【図１１】
2015135560.tif 000013
【図１２】
2015135560.tif 000014
【図１３】
2015135560.tif 000015